(57)【特許請求の範囲】
【請求項１】
対向配置された固定部を少なくとも一対備え、壁材に穿設された壁孔を通過させて壁裏の取り付け位置に配置されるとともに、前記固定部を使用して器具又は前記器具の器具枠が壁表に設置されることで、前記壁材を前記器具又は前記器具枠とで挟持して前記取り付け位置に固定される器具取付部材であって、
前記壁材の裏面における前記壁孔の周縁に当接する当接面を表面に有する本体部を備え、
前記当接面が前記壁孔の周縁に当接可能な前記壁孔を穿設するための外形基準位置を前記壁材に記すための突起が前記本体部の表面に形成されるとともに、
前記突起は、前記本体部が壁裏に設置される際に、前記壁孔の内面に係止可能になっていることを特徴とする器具取付部材。
【請求項２】
前記壁孔は四角形状であり、
前記突起は、前記外形基準位置として前記壁孔の四隅を記すとともに、前記本体部が壁裏に設置される際に前記壁孔の四隅内面に係止可能になっていることを特徴とする請求項１に記載の器具取付部材。
【請求項３】
前記突起における前記壁孔の内面に係止する面が、前記本体部の表面に対して直交する方向へ延びるように形成されていることを特徴とする請求項１又は請求項２に記載の器具取付部材。
【請求項４】
前記本体部には、前記壁孔を穿設する際に前記壁材の表面に記される墨だし線に対して位置合わせ可能な位置合わせ部が設けられていることを特徴とする請求項１〜請求項３のいずれか一項に記載の器具取付部材。
【発明の詳細な説明】
【技術分野】
【０００１】
本発明は、器具取付部材に関する。
【背景技術】
【０００２】
建築物の壁に、例えば配線器具を設置するために、器具取付部材としての配線用ボックスが壁裏に配設される（例えば特許文献１参照）。特許文献１の配線用ボックスは、その外形が方形状であるとともに、各縦側壁の開口側の端面にフランジが外側に向けて設けられ、各横側壁の内側にはボスが設けられている。また、底壁の外側面には、複数の突刺体（突起）が一体に突設されている。
【０００３】
そして、特許文献１の配線用ボックスを壁裏に設置する際には、まず、底壁の外側面を壁材における配線用ボックスの設置位置に押し付けて、複数の突刺体を壁材に突き刺すと、壁材に対して配線用ボックスが位置決めされる。この状態で、配線用ボックスの外形を罫書き具により罫書くと、壁材の表側に配線用ボックスの外形線が表示される。次に、鋸等の切断具によって、壁材を外形線に沿って切断すると、壁材に配線用ボックスの外形に対応した方形状の透孔（壁孔）が形成される。そして、壁材の表側から透孔に配線用ボックスを挿入すると、フランジが壁材の表面に当接して、配線用ボックスの開口が壁表に臨んだ状態で、壁材の裏側に配線用ボックスが設置される。
【０００４】
また、特許文献１には、二つの円の一部を互いに重合させた形状の外形をなす配線用ボックスが開示されている。この配線用ボックスには、その周壁の端面に一対のフランジが外側に向けて設けられるとともに、周壁の内側には一対のボスが対向するように設けられている。配線用ボックスの底壁の外側面において、配線用ボックスの外形を構成する各円の中心位置それぞれには、突刺体が一体に突設されている。
【０００５】
そして、配線用ボックスを壁裏に設置する際には、まず、底壁の外側面を壁材における配線用ボックスの設置位置に押し付けて、各突刺体を壁材に突刺させる。各突刺体による突刺痕は、配線用ボックスの外形を構成する二つの円の中心位置となる。この突刺痕に穿孔具のセンターを押し付けた状態で、穿孔具の回転切削刃により壁材に円形孔を穿設する作業を突刺痕毎に行う。すると、二つの円形孔の重合により、二つの円の一部が互いに重合している配線用ボックスの外形に対応した形状の透孔が穿孔される。そして、配線用ボックスを壁表側から透孔に挿入して、各フランジが壁材の表面に当接すると、配線用ボックスの開口が壁表に臨んだ状態で、壁材の裏側に配線用ボックスが設置される。
【先行技術文献】
【特許文献】
【０００６】
【特許文献１】特開平１１−１２７５２０号公報
【発明の概要】
【発明が解決しようとする課題】
【０００７】
特許文献１の配線用ボックスでは、複数の突刺体は、配線用ボックスの外形を罫書く際の配線用ボックスの位置決めのためや、配線用ボックスの外形に対応した透孔を穿設する際の穿孔中心を記すために用いられる。しかしながら、複数の突刺体は、いずれの場合であっても透孔を穿設した後は不必要なものになってしまっている。
【０００８】
本発明は、このような従来の技術に存在する問題点に着目してなされたものであり、その目的は、壁材に壁孔を穿設する際に用いられる突起を利用して、壁裏の取り付け位置に位置決めすることができる器具取付部材を提供することにある。
【課題を解決するための手段】
【０００９】
上記目的を達成するために、請求項１に記載の発明は、対向配置された固定部を少なくとも一対備え、壁材に穿設された壁孔を通過させて壁裏の取り付け位置に配置されるとともに、前記固定部を使用して器具又は前記器具の器具枠が壁表に設置されることで、前記壁材を前記器具又は前記器具枠とで挟持して前記取り付け位置に固定される器具取付部材であって、前記壁材の裏面における前記壁孔の周縁に当接する当接面を表面に有する本体部を備え、前記当接面が前記壁孔の周縁に当接可能な前記壁孔を穿設するための外形基準位置を前記壁材に記すための突起が前記本体部の表面に形成されるとともに、前記突起は、前記本体部が壁裏に設置される際に、前記壁孔の内面に係止可能になっていることを要旨とする。
【００１０】
請求項２に記載の発明は、請求項１に記載の発明において、前記壁孔は四角形状であり、前記突起は、前記外形基準位置として前記壁孔の四隅を記すとともに、前記本体部が壁裏に設置される際に前記壁孔の四隅内面に係止可能になっていることを要旨とする。
【００１１】
請求項３に記載の発明は、請求項１又は請求項２に記載の発明において、前記突起における前記壁孔の内面に係止する面が、前記本体部の表面に対して直交する方向へ延びるように形成されていることを要旨とする。
【００１２】
請求項４に記載の発明は、請求項１〜請求項３のいずれか一項に記載の発明において、前記本体部には、前記壁孔を穿設する際に前記壁材の表面に記される墨だし線に対して位置合わせ可能な位置合わせ部が設けられていることを要旨とする。
【発明の効果】
【００１３】
この発明によれば、壁材に壁孔を穿設する際に用いられる突起を利用して、壁裏の取り付け位置に位置決めすることができる。
【図面の簡単な説明】
【００１４】
【図１】実施形態における器具固定枠及び器具枠を示す斜視図。
【図２】（ａ）は器具固定枠の正面図、（ｂ）は図２（ａ）におけるＡ―Ａ線縦断面図。
【図３】（ａ）は壁材の表面に第１及び第２墨だし線を記した状態を示す正面図、（ｂ）は第１及び第２墨だし線に対して第１及び第２凹部を位置合わせして突起を壁材の表面に押圧した状態を示す正面図、（ｃ）は突起の突刺痕を示す正面図、（ｄ）は四角枠を罫書いた状態を示す正面図、（ｅ）は壁孔が穿設された状態を示す正面図、（ｆ）は枠本体の一部が壁孔に挿入されている状態を示す正面図。
【図４】各突起が壁孔の四隅の各内面に係止している状態を示す正面図。
【図５】器具枠が壁に設置された状態を示す縦断面図。
【発明を実施するための形態】
【００１５】
以下、本発明を器具固定枠に具体化した一実施形態を図１〜図５にしたがって説明する。また、本実施形態における器具固定枠１０は、器具としてのスイッチＳが保持された状態の器具枠Ｈを建築物の壁Ｗに一つ設置するために壁Ｗ裏に設置されるものである。
【００１６】
まず、壁Ｗについて説明する。
図５に示すように、壁Ｗは、図示しない柱と、その柱の前後両面に立設される一対の壁材Ｗ１とによって構成されている。また、一対の壁材Ｗ１の間には中空部Ｋ（壁Ｗ裏）が形成されるとともに、中空部ＫにはケーブルＣが配設されている。
【００１７】
次に、器具固定枠１０について説明する。
図１に示すように、器具固定枠１０は、矩形枠状に形成される合成樹脂材料製の本体部としての枠本体１１を備えている。
【００１８】
図２（ａ）に示すように、枠本体１１は、対向する短辺を構成するとともに互いに平行に延びる上枠部１２及び下枠部１３を備えている。また、枠本体１１は、対向する長辺を構成するとともに上枠部１２の右端部と下枠部１３の右端部とを繋ぐ右側枠部１４、及び上枠部１２の左端部と下枠部１３の左端部とを繋ぐ左側枠部１５を備えている。そして、枠本体１１の中央部には、上枠部１２、下枠部１３、右側枠部１４及び左側枠部１５により挿通孔１１ａが囲み形成されている。
【００１９】
上枠部１２及び下枠部１３における長辺方向の長さは同じであるとともに、右側枠部１４及び左側枠部１５における長辺方向の長さは同じになっている。右側枠部１４及び左側枠部１５は、上枠部１２及び下枠部１３に対して直交する方向へ延びている。上枠部１２、下枠部１３、右側枠部１４及び左側枠部１５の厚みはそれぞれ同じになっている。上枠部１２及び下枠部１３の表面１２ａ，１３ａ（一端面）と、右側枠部１４及び左側枠部１５の表面１４ａ，１５ａ（一端面）とは同一面上に位置しており、これら表面１２ａ，１３ａ，１４ａ，１５ａは、壁材Ｗ１の裏面における壁孔Ｗ２の周縁全周に亘って当接する当接面として機能する。
【００２０】
上枠部１２及び下枠部１３の中央部内側それぞれには、固定部としてのボス部１６が互いに対向配置され、枠本体１１は一対のボス部１６を備えている。各ボス部１６には、上枠部１２又は下枠部１３の厚み方向へ貫通する円孔状のボス孔１６ａが形成されるとともに、各ボス部１６内にはナットＮ１（図１参照）が埋設されている。そして、ナットＮ１には、器具枠Ｈを一対のボス部１６に固定するための固定ビスＢ１がボス孔１６ａを介して螺合可能になっている。
【００２１】
上枠部１２及び下枠部１３の表面１２ａ，１３ａには突起２１が設けられている。各突起２１は、上枠部１２及び下枠部１３の表面１２ａ，１３ａにおいて、一対のボス孔１６ａ同士を結ぶ直線Ｌ１から上枠部１２及び下枠部１３の長辺方向に沿って同じ距離だけ離間した位置に設けられている。また、各突起２１は、右側枠部１４及び左側枠部１５の長辺方向の中央を通過し、且つ直線Ｌ１に対して直交する方向へ延びる直線Ｌ２から右側枠部１４及び左側枠部１５の長辺方向に沿って同じ距離だけ離間した位置に設けられている。さらに、各突起２１は、挿通孔１１ａの各角部から枠本体１１の各角部に向けて一定距離だけ離間した位置に設けられるとともに、挿通孔１１ａの長側辺の延長線上に設けられている。また、各突起２１は、上枠部１２又は下枠部１３の外側面から挿通孔１１ａ側へ一定距離だけ離間した位置に設けられるとともに、右側枠部１４又は左側枠部１５の外側面から挿通孔１１ａ側へ一定距離だけ離間した位置に設けられている。さらに、各突起２１は、ボス孔１６ａよりも上枠部１２又は下枠部１３の外側面寄りに位置している。
【００２２】
そして、隣り合う突起２１同士を直線で結ぶことで四角形が描かれるとともに、この四角形は挿通孔１１ａよりも大きくなっている。また、４つの突起２１が壁材Ｗ１の表面に突き刺さると、壁材Ｗ１の表面には壁孔Ｗ２の外形基準位置としての壁孔Ｗ２の四隅が記されるようになっている。すなわち、隣り合う突起２１同士を直線で結ぶことで描かれる四角形よりも外側に位置する各表面１２ａ，１３ａ，１４ａ，１５ａは、壁材Ｗ１の裏面における壁孔Ｗ２の周縁に当接するようになっている。
【００２３】
図２（ｂ）に示すように、各突起２１は三角錐状をなすとともに、各突起２１の先端は、突出方向に沿って尖った尖端部２１ｄとなっている。図２（ａ）に示すように、各突起２１における上枠部１２又は下枠部１３側に面する第１側面２１ａは、上枠部１２及び下枠部１３の長辺方向に対して平行に延びるとともに、上枠部１２又は下枠部１３の表面１２ａ，１３ａに対して直交する方向へ突出するように形成されている。また、各突起２１における右側枠部１４又は左側枠部１５側に面する第２側面２１ｂは、右側枠部１４及び左側枠部１５の長辺方向に対して平行に延びるとともに、上枠部１２又は下枠部１３の表面１２ａ，１３ａに対して直交する方向へ突出するように形成されている。さらに、各突起２１における挿通孔１１ａ側に面する第３側面２１ｃは、第１側面２１ａと第２側面２１ｂとを繋ぐとともに、第１側面２１ａ及び第２側面２１ｂの突出方向に対して交差し、枠本体１１の各角部側に向かう方向へ延びて傾斜するように形成されている。
【００２４】
上枠部１２及び下枠部１３の外側面であって、直線Ｌ１を通過する部位それぞれには、挿通孔１１ａ側に向かって凹む位置合わせ部としての第１凹部２５が形成されている。また、右側枠部１４及び左側枠部１５の外側面であって、直線Ｌ２を通過する部位それぞれには、挿通孔１１ａ側に向かって凹む位置合わせ部としての第２凹部２６が形成されている。
【００２５】
次に、上記構成の器具固定枠１０を用いてスイッチＳを壁Ｗに設置する方法について説明する。
まず、図３（ａ）に示すように、一方の壁材Ｗ１において、スイッチＳの設置位置に、鉛直方向に延びる第１墨だし線Ｙ１、及び水平方向に延びる第２墨だし線Ｘ１を記す。第１墨だし線Ｙ１及び第２墨だし線Ｘ１は互いに直交している。
【００２６】
次に、図３（ｂ）に示すように、枠本体１１の表面側を壁材Ｗ１の表面側に向けた状態で、第１墨だし線Ｙ１上に各第１凹部２５を位置合わせして、各第１凹部２５と第１墨だし線Ｙ１とを重合させると同時に、第２墨だし線Ｘ１上に各第２凹部２６を位置合わせして、各第２凹部２６と第２墨だし線Ｘ１とを重合させるように枠本体１１を配置する。さらに、枠本体１１の表面を壁材Ｗ１の表面に押圧する。すると、各突起２１が、尖端部２１ｄ側から壁材Ｗ１の表面に突き刺さる。そして、枠本体１１を壁材Ｗ１の表面から離すと、図３（ｃ）に示すように、壁材Ｗ１の表面には、壁孔Ｗ２の外形基準位置を示す突起２１の突刺痕３１が形成される。
【００２７】
次に、図３（ｄ）に示すように、罫書き具（図示せず）により、各突刺痕３１における隣り合う第１側面２１ａと対応する部位同士を直線で結ぶように罫書くとともに、各突刺痕３１における隣り合う第２側面２１ｂと対応する部位同士を直線で結ぶように罫書く。すると、壁材Ｗ１の表面に、四角形状の壁孔Ｗ２の外形を示す四角枠３２が描かれる。そして、図３（ｅ）に示すように、例えば鋸等の切断工具を用いて、壁材Ｗ１を四角枠３２に沿って切断する。すると、壁材Ｗ１に四角形状の壁孔Ｗ２が穿設される。この壁孔Ｗ２は、枠本体１１を、長辺方向に沿う方向を挿入方向として、枠本体１１の短辺側から壁孔Ｗ２を通過させて、壁Ｗ表側から中空部Ｋ内へ挿入可能であるとともに、ボス部１６が壁孔Ｗ２を介して壁Ｗ表側へ臨む大きさになっている。
【００２８】
次に、図３（ｆ）に示すように、中空部Ｋに配設されたケーブルＣを壁孔Ｗ２から壁材Ｗ１の表側に引き出すとともに、ケーブルＣを挿通孔１１ａの内側を通過させた状態で、枠本体１１を、長手方向に沿う方向を挿入方向として、上枠部１２側から壁孔Ｗ２を介して中空部Ｋ内に挿入する。すると、枠本体１１全体が壁孔Ｗ２を通過して、器具固定枠１０が中空部Ｋ内に位置する。
【００２９】
次に、図４に示すように、作業者は、各突起２１における第１側面２１ａ及び第２側面２１ｂ全体が、壁孔Ｗ２の四隅の各内面に当接するように位置調整しながら、各突起２１を壁孔Ｗ２内に挿入する。すると、各表面１２ａ，１３ａ，１４ａ，１５ａにおける壁孔Ｗ２よりも外側に位置する部位が壁材Ｗ１の裏面における壁孔Ｗ２の周縁に当接する。
【００３０】
ここで、各突起２１が壁孔Ｗ２に挿入された状態では、各突起２１における第１側面２１ａ及び第２側面２１ｂ全体が、壁孔Ｗ２の四隅の各内面に面接触している。このため、枠本体１１における壁孔Ｗ２に対する上下左右への移動が規制され、挿通孔１１ａが壁孔Ｗ２から壁Ｗ表側へ臨む取り付け位置に位置決めされる。
【００３１】
次に、図５に示すように、器具枠Ｈに予め保持されたスイッチＳにケーブルＣを接続するとともに、器具枠Ｈを壁材Ｗ１の表側に配置し、固定ビスＢ１を、器具枠Ｈのビス挿通孔Ｈ１、壁孔Ｗ２及びボス孔１６ａを介してナットＮ１に締め込む。これにより、器具固定枠１０は、壁材Ｗ１を器具枠Ｈと共に挟持した状態で、壁材Ｗ１裏面に固定されるとともに、スイッチＳが壁Ｗに設置される。
【００３２】
上記実施形態では以下の効果を得ることができる。
（１）上枠部１２及び下枠部１３の表面１２ａ，１３ａには突起２１が設けられるとともに、各突起２１を壁材Ｗ１の表面に突き刺すことで形成される各突刺痕３１同士を直線で結ぶ。すると、枠本体１１を壁Ｗ表側から中空部Ｋ内へ挿入可能であるとともに、ボス部１６が壁孔Ｗ２を介して壁Ｗ表側へ臨むことが可能であって、各表面１２ａ，１３ａ，１４ａ，１５ａが壁材Ｗ１の裏面における壁孔Ｗ２の周縁に当接可能な大きさの壁孔Ｗ２の外形を壁材Ｗ１の表面に描くことができる。この壁孔Ｗ２の外形に沿って壁材Ｗ１を切断することで、壁材Ｗ１に所望の大きさの壁孔Ｗ２を穿設することができる。さらに、枠本体１１を壁孔Ｗ２を介して中空部Ｋ内に挿入するとともに、壁材Ｗ１に壁孔Ｗ２を穿設する際に用いた各突起２１を壁孔Ｗ２の内面に挿入することで、各突起２１が壁孔Ｗ２の内面に係止して、挿通孔１１ａが壁孔Ｗ２から壁Ｗ表側へ臨む取り付け位置に枠本体１１を位置決めすることができる。したがって、壁材Ｗ１に壁孔Ｗ２を穿設する際に用いられた突起２１を、枠本体１１を取り付け位置に位置決めするために利用することができ、壁孔Ｗ２を穿設した後でも、突起２１を有効利用することができる。
【００３３】
（２）壁材Ｗ１に対して四角形状の壁孔Ｗ２を穿設する際に、壁材Ｗ１の表面に壁孔Ｗ２の外形を予め罫書くことをせずに、鋸等を用いて手作業で穿設作業を行うと、壁材Ｗ１に対して所望の大きさの四角形状の壁孔Ｗ２を穿設することが難しい。しかし、本実施形態では、各突起２１が壁材Ｗ１の表面に突き刺さると、壁材Ｗ１に対して、壁孔Ｗ２の外形基準位置としての壁孔Ｗ２の四隅（突刺痕３１）が記される。そして、各突刺痕３１同士を直線で結ぶことで、壁材Ｗ１の表面に、四角形状の壁孔Ｗ２の外形を示す四角枠３２を描くことができ、四角枠３２に沿って壁材Ｗ１を切断することで、所望の大きさの四角形状の壁孔Ｗ２を穿設することができる。
【００３４】
（３）各突起２１は、上枠部１２及び下枠部１３の長辺方向に対して平行に延びるとともに、上枠部１２又は下枠部１３の表面１２ａ，１３ａに対して直交する方向へ突出する第１側面２１ａを備えている。また、各突起２１は、右側枠部１４及び左側枠部１５の長辺方向に対して平行に延びるとともに、上枠部１２又は下枠部１３の表面１２ａ，１３ａに対して直交する方向へ突出する第２側面２１ｂを備えている。よって、各突起２１が壁孔Ｗ２に挿入されると、各突起２１における第１側面２１ａ及び第２側面２１ｂ全体が、壁孔Ｗ２の四隅の各内面に面接触するため、突起２１の突出長さが短くても、枠本体１１における壁孔Ｗ２に対する上下左右への移動を規制することができる。
【００３５】
（４）上枠部１２及び下枠部１３の外側面であって、直線Ｌ１を通過する部位それぞれには、第１凹部２５が形成されるとともに、右側枠部１４及び左側枠部１５の外側面であって、直線Ｌ２を通過する部位それぞれには、第２凹部２６が形成されている。よって、第１墨だし線Ｙ１上に各第１凹部２５を位置合わせするとともに、第２墨だし線Ｘ１上に各第２凹部２６を位置合わせすることで、枠本体１１を、壁材Ｗ１に対して傾くことなく配置することができる。
【００３６】
なお、上記実施形態は以下のように変更してもよい。
○  実施形態において、各突起２１は、壁材Ｗ１に対して壁孔Ｗ２の四隅を記すとともに、壁孔Ｗ２に挿入されると壁孔Ｗ２の四隅の各内面に係止可能になっていたが、これに限らない。例えば、各突起２１は、壁孔Ｗ２の外形基準位置として、壁孔Ｗ２の内面における上下方向に対向する内面と左右方向に対向する内面とを壁材Ｗ１の表面に記すとともに、壁孔Ｗ２に挿入されると、壁孔Ｗ２における上下方向に対向する内面と左右方向に対向する内面に係止可能になっていてもよい。
【００３７】
○  実施形態において、壁材Ｗ１に穿設される壁孔Ｗ２の形状は四角形状であったが、これに限らず、例えば、縦長楕円形状、小判形状、真円を一部分が重合するように二つ形成した略瓢箪状、又は複数の円形の穿孔を一部重合させて形成された壁孔であってもよい。
【００３８】
例えば、縦長楕円形状の壁孔は、開口形状が縦長楕円形状をなすカップ状のケーシングを備えた電動穿孔具を用いて、壁材Ｗ１の所望位置に穿設される。この場合、上枠部１２及び下枠部１３の表面１２ａ，１３ａにおける各ボス部１６よりも外側には、係止突起がそれぞれ設けられる。この各係止突起は、上枠部１２及び下枠部１３の表面１２ａ，１３ａに対して直交する方向へ延びるように突出するとともに、各係止突起における各ボス部１６側とは反対側の側面全体が、壁孔の内周面において、壁孔における長辺側の対向する円弧部分それぞれに沿うように円弧状に形成されている。
【００３９】
そして、枠本体１１の表面を壁材Ｗ１の表面に押圧すると、壁材Ｗ１の表面には係止突起の突刺痕が形成され、この突刺痕に沿うように電動穿孔具のケーシングの外形を位置させた状態で、電動穿孔具により壁材Ｗ１を切断すると、壁材Ｗ１の所望位置に縦長楕円形状の壁孔が穿設される。そして、枠本体１１を壁孔を介して中空部Ｋ内に挿入し、係止突起を壁孔に挿入すると、係止突起が壁孔における長辺側の対向する円弧部分それぞれに係止して、枠本体１１が取り付け位置に位置決めされる。
【００４０】
○  実施形態において、上枠部１２及び下枠部１３の外側面であって、直線Ｌ１を通過する部位それぞれに形成された第１凹部２５、及び右側枠部１４及び左側枠部１５の外側面であって、直線Ｌ２を通過する部位それぞれに形成された第２凹部２６を削除してもよい。
【００４１】
○  実施形態において、器具枠Ｈに取り付けられる器具はスイッチＳであったが、これに限らず、器具枠Ｈに取り付けられる器具は、例えば、コンセントや報知器であってもよい。
【００４２】
○  器具として報知器を適用した場合は、報知器をボス部１６に直接固定して、報知器と器具固定枠１０とで壁材Ｗ１を挟持することで、壁Ｗに報知器を設置するようにしてもよい。
【００４３】
○  本発明を、スイッチＳが保持された状態の器具枠Ｈを壁Ｗに一つ設置する場合に用いられる器具固定枠１０に適用したが、これに限らず、器具枠Ｈを壁Ｗに二つ以上並設する場合に用いられる器具固定枠に適用してもよい。
【００４４】
○  本発明を、器具固定枠１０に具体化したが、これに限らず、一面に開口部を有するとともに有底四角箱状の配線ボックスに具体化してもよい。
次に、上記実施形態及び別例から把握できる技術的思想について以下に追記する。
【００４５】
（イ）前記器具取付部材は、前記本体部として、矩形枠状をなす枠本体を備えた器具固定枠であることを特徴とする請求項１〜請求項４のいずれか一項に記載の器具取付部材。
【符号の説明】
【００４６】
Ｂ１…固定ビス、Ｈ…器具枠、Ｓ…器具としてのスイッチ、Ｗ…壁、Ｗ１…壁材、Ｗ２…壁孔、１０…器具取付部材としての器具固定枠、１１…本体部としての枠本体、１２ａ，１３ａ，１４ａ，１５ａ…当接面として機能する表面、１６…固定部としてのボス部、２１…突起。
【図１】
0005508208.tif 000002
【図２】
0005508208.tif 000003
【図３】
0005508208.tif 000004
【図４】
0005508208.tif 000005
【図５】
0005508208.tif 000006